(57)【特許請求の範囲】
【請求項１】
載置枠と圧入支柱とを有する電子機器の筐体と、前記圧入支柱と係合する圧入孔と片面に粘着剤層とを有する樹脂シートとを備え、前記載置枠に載置した電気部品が前記粘着剤層と対向するように前記樹脂シートを前記電気部品の上方に置き、前記圧入支柱に前記圧入孔を係合し、前記樹脂シートを前記支柱に沿って押し下げることによって前記粘着層と前記電気部品とを粘着するとともに、前記樹脂シートの弾性力によって前記樹脂シートを前記電気部品に押圧し、前記電気部品を前記樹脂シートと前記載置枠との間に狭持することによって前記電気部品を前記筐体に固定することを特徴とする電気部品の取付構造。
【請求項２】
樹脂シートが異形電気部品と粘着層との不均一な接触を回避するための開口を備えることを特徴とする請求項１に記載の電気部品の取付構造。
【請求項３】
載置枠に載置した電気部品の高さが、前記載置枠によって所定の高さに調整されていることを特徴とする請求項１に記載の電気部品の取付構造。
【請求項４】
樹脂シートを延在させたケーブル保持部を有することを特徴とする請求項１に記載の電気部品の取付構造。
【請求項５】
筐体が係合スリットを、樹脂シートが前記係合スリットに係合する係合片を有することを特徴とする請求項１に記載の電気部品の取付構造。
【請求項６】
樹脂シートの厚さが、０．２ｍｍ〜１．０ｍｍ、前記樹脂シートの材質がナイロン、ポリカーボネート、ＰＥＴ、ＰＥ、ＰＰのいずれかより選ばれることを特徴とする請求項１に記載の電気部品の取付構造。
【発明の詳細な説明】
【０００１】
【発明の属する技術分野】
本発明は、電子機器に使用する電気部品を、簡便に確実に取付け、かつ取外しが容易にできる部品取付け構造に関する。
【０００２】
【従来の技術】
電子機器に使用する電気部品の多くは主基板に直接取付けられているが、例えば、スピーカ、ＬＥＤ基板、スイッチ基板、電源基板等のように主基板から離れた場所に配置される電気部品がある。
【０００３】
スピーカを例として、上記電気部品の従来の取付け構造の一例を図４によって説明する。
【０００４】
図４において、５０は電子機器の筐体、５１は筐体５０に設けたボス、５２はスピーカ、５３はスピーカケーブル、５４はスピーカの位置決め枠、５５は取付ばね、５６はビス、５７はケーブル止めである。位置決め枠５４内にスピーカ５２を載置し、ボス５２に取付けばね５５を乗せ、ビス５６によって締結していた。取付けばね５５は、ばね材を折り曲げ加工して、ばねの弾性力でスピーカ５２を筐体５０に押し付けて固定する取付構造である。最後に、スピーカケーブル５３をケーブル止め５７で処理して取付作業が終了する。この取付け方法には次のような不具合があった。
（１）取付にビス締結作業を必要とする。スピーカの横にバッテリー等の他の電気部品があれば、さらにこの電気部品を締結するためのビス締結作業が必要となり手間がかかる。
（２）押圧による取付なので、横方向に滑りやすい。
（３）ビスが緩む可能性がある。ビスをロック材等で止めると、緩むことはなくなるが取外し作業が困難になる。
（４）スピーカケーブルを別の部材を使用して、固定処理することが必要。
【０００５】
またこの他の従来法として、接着剤を使用する方法もあるが、この場合には固定力は十分であるが、接着剤を乾燥する時間が必要、取外しが困難等の課題があった。
【０００６】
【発明が解決しようとする課題】
本発明は、上記課題を解決するもので、電気部品の取付が簡単で、電気部品と機器本体との固定力が大きく、かつ点検・修理の際には電気部品の取外しが容易にできる部品取付け構造を提供することを目的とする。
【０００７】
【課題を解決するための手段】
上記課題を解決するために、本発明は電子機器本体に電気部品の載置枠を設け、載置枠に置いた電気部品の上方より樹脂シートを被せ、電気部品を樹脂シートと電気部品載置枠の間に狭持して固定する取付構造である。固定力を確実にするために樹脂シートの一面に粘着層を設け、これにより樹脂シートと電気部品との固定力を高めている。また、電気部品の載置枠の近くに圧入支柱を設け、圧入支柱に樹脂シートに設けた圧入孔を係合して、樹脂シートを電気部品に押し付けるようにしている。
【０００８】
これにより、電子機器に使用する電気部品を、簡便・確実に取付け、かつ取外しが容易にできる部品取付け構造を提供することができる。
【０００９】
【発明の実施形態】
本発明の請求項１に記載の発明は、載置枠と圧入支柱とを有する電子機器の筐体と、前記圧入支柱と係合する圧入孔と片面に粘着剤層とを有する樹脂シートとを備え、前記載置枠に載置した電気部品が前記粘着剤層と対向するように前記樹脂シートを前記電気部品の上方に置き、前記圧入支柱に前記圧入孔を係合し、前記樹脂シートを前記支柱に沿って押し下げることによって前記粘着層と前記電気部品とを粘着するとともに、前記樹脂シートの弾性力によって前記樹脂シートを前記電気部品に押圧し、前記電気部品を前記樹脂シートと前記載置枠との間に狭持することによって電気部品を前記筐体に固定することを特徴とする部品取付け構造であり、樹脂シートと電気部品とは面粘着で固定され、かつ樹脂シートの弾性力で電気部品を包み込んでいるため電気部品と筐体との固定力が確実である。また、圧入支柱と圧入孔にる押圧力を利用して締結するので、取付け・取外し作業が容易にできるという作用を有する。
【００１０】
本発明の請求項２に記載の発明は、請求項１に記載の発明において、樹脂シートが異形電気部品と樹脂シートとの不均一な接触を回避するための開口を備えることを特徴とするもので、異形電気部品の取付けが容易になる。
【００１１】
本発明の請求項３に記載の発明は、請求項１に記載の発明において、載置枠に載置した電気部品の高さが、前記載置枠によって所定の高さに調整されていることを特徴とするものであり、形状・大きさの異なる複数の電気部品を一枚の樹脂シートで容易に固定することができる。
【００１２】
本発明の請求項４に記載の発明は、請求項１に記載の発明において、樹脂シートを延在させたケーブル保持部を有することを特徴とするもので、電気部品に付随する配線ケーブルを処理することができる。樹脂シートには片面に粘着層が施しているため、フラットケーブルやフレキケーブル等のケーブルをケーブル保持部に保持させることが容易である。
【００１３】
本発明の請求項５に記載の発明は、請求項１に記載の発明において、筐体が係合スリットを、樹脂シートが前記係合スリットに係合する係合片を有することを特徴とするもので、樹脂シートの取付け・取外しが容易になる作用がある。
【００１４】
本発明の請求項６に記載の発明は、請求項１に記載の発明において、樹脂シートの厚さが０．２ｍｍ〜１．０ｍｍ、前記樹脂シートの材質がナイロン、ポリカーボネート、ＰＥＴ、ＰＥ、ＰＰのいずれかより選ばれることを特徴とするもので、汎用的な電気部品を固定するに適した弾性力を得ることができる。
【００１５】
以下に、本発明の一実施の形態における一例として、使用者が自由に持運びする携帯型ノートパソコンのような、小型で電子部品の集積密度の高い電子機器本体の筐体に、スピーカとコインバッテリーとの２部品を取付ける取付け構造についてを図１〜図３を用いて説明する。
【００１６】
（実施の形態１）
図１は本発明の一実施の形態における部品取付け構造の組立図、図２は部品取付け構造の側面図、図３は取付部の要部拡大図である。
【００１７】
図１において、１は電子機器本体の筐体、２はスピーカ、３はコインバッテリー、４は樹脂シートである。以下順番に細部について説明する。
【００１８】
筐体１は、スピーカ２を載置するスピーカ載置枠５、コインバッテリー３を載置するコインバッテリー載置枠６、圧入支柱７、係合スリット８とを有する。スピーカ２は、円筒状に突き出したマグネット部９と、コーン状に広がったコーン部１０と、スピーカケーブル１１とを備えている。コインバッテリー３は、薄い円盤で、スピーカ２より背が低い。樹脂シート４は、圧入支柱７と係合する圧入孔、係合スリット８と係合する係合樹脂片１３、マグネット部９を回避する開口１４、スピーカケーブル１１を保持するケーブル保持部１５を備えている。樹脂シート４の片面は、全面にわたって、粘着層（または接着層）１６が設けられて、粘着層の表面は図には示していない保護紙によって保護されている。
【００１９】
次に、図１によって実施の形態１における電気部品の取付け手順を順を追って説明する。始めにスピーカ２とコインバッテリー３とを載置枠５、６に入れる。載置枠５、６の直径は部品直径より大きめに設計しているので、簡単に載置することができる。スピーカケーブル１１は、スピーカ２をスピーカ載置枠５に載置することにより、所定の方向に向く。コインバッテリー載置枠６の底は底上げされていて、コインバッテリー３を載置したとき、コインバッテリー３の表面は所定の高さになるよう設計されている。つまり、載置枠５、６に電気部品を載置することにより、電気部品の表面のＸ、Ｙ、Ｚ座標が所定座標に決められる。
【００２０】
次に、樹脂シート４の保護シートを外して、係合樹脂片１３を係合スリット８に係合し、同時に圧入孔１２を圧入支柱７に係合する。係合スリット８を支点として、樹脂シート４を圧入支柱７に沿って押し込むと、樹脂シート４の粘着層１６が圧入支柱７の段差面、スピーカ２のコーン部１０、コインバッテリー３の表面とに当接する位置で止まる。この位置での断面図を第２図に示す。図２で示すように樹脂シート４は、筐体１の面に略平行な水平位置に止まる。樹脂シート４の位置は係合樹脂片１３、係合スリット８の位置、スピーカ２のコーン部１０周辺、圧入支柱７の段差面２０、コインバッテリー３の表面によって位置が決められる。（圧入支柱７と圧入孔１２の当接部では、樹脂シート４の端部が反って抜け止め作用をしている。）図２に示すように、スピーカケーブル１１を粘着層１６に押し付ければ、スピーカケーブル１１が樹脂シート４に固定し、ケーブルを所定箇所に取付けることができる。
【００２１】
図３に取付構造部の要部の概要を示す。図３（ａ）は圧入支柱７と圧入孔１２の拡大図斜視図、図３（ｂ）は圧入部の断面図、図３（ｃ）は係合スリットと係合樹脂片１３との拡大斜視図である。
【００２２】
図３（ａ）において、圧入支柱７は十字型の台座２０の上に立っている。圧入孔１２の穴径は、圧入支柱７の直径よりも小さめに作られており、圧入を容易にするために切れ目２１を設けている。図３（ｂ）は圧入孔１２に圧入支柱７を係合し、樹脂シート４を台座２０まで押し込んだときの状態を示している。樹脂シート４は、粘着層１６の粘着力・接着力により圧入支柱７、台座２０に固定するとともに、樹脂シート４の反り部２２の弾性により圧入支柱７、台座２０に押圧されている。図３（ｃ）において、係合樹脂片１３は圧入支柱１２と対向する位置に設けられており、係合樹脂片１３は係合スリット８に差し込まれ、スリットの底面２３と粘着層１６とが粘着力により固定し抜け止め効果を奏する。
【００２３】
最後に、ケーブル保持部１５の説明をする。スピーカ２、コインバッテリ３の隣にある電気部品は、例えば平面入力装置（タッチパッド）３２である。平面入力装置３２からは、主基板に接続するフレキシブルケーブル３０、３１が配線されている。１５ａ、１５ｂ、１５ｃは樹脂シート４の端部であり、スピーカ２、コインバッテリー３の固定に対しては関与していないが、フレキシブルケーブル３０、３１を裏面の粘着剤が粘着保持して、ケーブル処理をしている。ケーブル保持部１５ａ、１５ｂは、フレキシブルケーブル３０を直角に案内・取付し、ケーブル保持部１５ｃは、フレキシブルケーブル３１を取付けている。図１に示すように、フレキシブルケーブル３０を樹脂シート４のコーナの上面に跨がせれば、ケーブルを方向転換することができる。
【００２４】
点検・修理のためにスピーカ２、コインバッテリー３を取外す手順を説明する。樹脂シート４の裏面に爪を掛け、圧入支柱７に沿って樹脂シートを持ち上げると、樹脂シート４はスピーカ２、コインバッテリー３、フレキシブルケーブル３０、３１を固定したまま外れる。作業の必要に応じてこれら部品を外し、必要な処理後元に戻せばよい。樹脂シート４は複数回使用することができるが、圧入孔１２、粘着層１６等の機能が低下した場合には新しい樹脂シートと交換すればよい。
【００２５】
樹脂シートの材質は、適度の弾性を持つ汎用のプラスチックが使用できる。好ましい材質は、例えばナイロン、ポリカーボネート、ＰＥＴ（ポリエチレンテレフタレート）、ＰＥ（ポリエチレン）、ＰＰ（ポリプロピレン）等のである。上記材質の樹脂シートで、厚さ、０．２ｍｍ〜１．０ｍｍのものが汎用の電気部品を取付けるのに適している。剛性が強すぎて、圧入支柱７に係合、係合解除時に折れ曲がったり、圧入支柱７に傷をつけるものは好ましくない。
【００２６】
筐体１に組み込まれたスピーカ２やコインバッテリ３等の電気部品は、携帯・移動中に振動や衝撃を受けるが、これらの電気部品は樹脂シート４による押し付け力と粘着層１６による粘着力により筐体１と樹脂シート４との間に狭持されているため、個別に動くことがなく、安定した取付け状態を保つことができる。
【００２７】
実施の形態１においては、圧入孔１２／圧入支柱７、および係合樹脂片１３／係合スリット８により筐体１と樹脂シート４とを係合したが、係合樹脂片／係合スリットを使わずに、複数個の圧入孔／圧入支柱によることもできる。
【００２８】
また、実施の形態１においては、樹脂シート４は筐体１に対して略平行になるように取付けたが、電気部品の形状に沿った斜面・曲面として取付けることも可能である。
【００２９】
また、ケーブル保持部１５はひさし状の平面に替えて、Ｌ字、コ字状等にすれば、ケーブルの保持をさらに確実にすることができる。
【００３０】
さらに、圧入支柱の円筒面に抜け止めのための凹凸を設ければ樹脂シートとの係合力がさらに強くなる。
【００３１】
【発明の効果】
以上のように、本発明によれば電子機器に使用する高さの異なる複数の電気部品を簡便・確実に取付け・取外しすることができ、かつ基板間を電気的に接続するケーブル類を簡便・確実に取付けることができる部品取付け構造を提供するものである。
【図面の簡単な説明】
【図１】本発明の一実施の形態における部品取付け構造を示す斜視図
【図２】本発明の一実施の形態における部品取付け構造の側面図
【図３】本発明の一実施の形態における部品取付け構造の要部の拡大図
【図４】従来の部品取付け構造の一例を示す側面図
【符号の説明】
１  電子機器本体の筐体
２  スピーカ
３  コインバッテリ
４  樹脂シート
５  スピーカ載置枠
６  コインバッテリ載置枠
７  圧入支柱
８  係合スリット
１１  スピーカケーブル
１２  圧入孔
１３  係合樹脂片
１４  開口
１５ａ、１５ｂ、１５ｃ  ケーブル保持部
１６  粘着層
【図１】
0004062830.tif 000002
【図２】
0004062830.tif 000003
【図３】
0004062830.tif 000004
【図４】
0004062830.tif 000005